(57)【要約】  本発明は、空気入口２０及び機関空気出口４０を備える、実質的に半円筒状の空気フィルタ５２を有するフィルタ・ユニット５０用のフィルタ・ハウジング１０に関する。本発明によれば、フィルタ・ハウジングは、追加空気出口３６と、フィルタ・ユニット５０と機関空気出口４０との間に位置し、機関空気出口の外周部に沿って延在する、追加空気出口３６への空気開口部６４とを有する。さらに、本発明は、かかるフィルタ・ハウジング用のフィルタ・ユニットに関する。
2015509842.tif 000002
【特許請求の範囲】
【請求項１】
実質的に半円筒状の空気フィルタ（５２）を有するフィルタ・ユニット（５０）用のフィルタ・ハウジング（１０）であって、前記フィルタ・ハウジング（１０）は、空気入口（２０）及び機関空気出口（４０）を備える、フィルタ・ハウジング（１０）において、
追加空気出口（３６）と、
前記フィルタ・ユニット（５０）と前記機関空気出口（４０）との間に位置し、前記機関空気出口の外周部に沿って延在する、前記追加空気出口（３６）への空気開口部（６４）と
を特徴とする、フィルタ・ハウジング。
【請求項２】
前記空気開口部（６４）は、前記フィルタ・ハウジング（１０）のカバー（３０）と前記フィルタ・ユニット（５０）のフィルタ頂部（６０）との間に輪郭設定されるように構成される、請求項１に記載のフィルタ・ハウジング。
【請求項３】
前記空気開口部は、斜め方向に上方に及び外方に延在する間隙（６４）を備える、請求項１又は２に記載のフィルタ・ハウジング。
【請求項４】
前記追加空気出口（６４）は、前記フィルタ・ユニット（１０）の前記カバー（３０）の上に位置する、請求項１から３までのいずれか一項に記載のフィルタ・ハウジング。
【請求項５】
前記空気開口部（６２）と前記追加空気出口（３６）との間においてろ過済み空気を搬送するために、前記フィルタ・ハウジング（１０）の前記カバー（３０）と前記フィルタ・ユニット（５０）の上方側部との間に輪郭設定された、円周状空気ダクト（６６）を備える、請求項１から４までのいずれか一項に記載のフィルタ・ハウジング。
【請求項６】
空気入口（２０）及び機関空気出口（３２）を有するフィルタ・ハウジング（１０）用のフィルタ・ユニット（５０）であって、前記フィルタ・ユニット（５０）は、フィルタ頂部（６０）及びフィルタ底部（７０）を有する実質的に半円筒状の空気フィルタ（５２）を備える、フィルタ・ユニット（５０）において、
前記フィルタ・ハウジングの追加空気出口（３６）への空気開口部（６４）を前記フィルタ・ハウジング（１０）のカバー（３０）とともに輪郭設定するように構成された、前記フィルタ頂部（６０）の上方側部であって、前記開口部は、前記機関空気出口（４０）の外周部に沿って延在する、上方側部
を特徴とする、フィルタ・ユニット。
【請求項７】
前記上方側部は、前記空気開口部（６４）と前記追加空気出口（３６）との間においてろ過済み空気を搬送するための円周状空気ダクト（６６）を前記フィルタ・ハウジング（１０）の前記カバー（３０）とともに、輪郭設定するようにさらに構成される、請求項６に記載のフィルタ・ユニット。
【発明の詳細な説明】
【技術分野】
【０００１】
本発明は、空気入口及び機関空気出口を備える、フィルタ・ユニットを収容するためのフィルタ・ハウジングに関する。また、本発明は、かかる空気フィルタ・ハウジング用のフィルタ・ユニットに関する。
【背景技術】
【０００２】
トラックの燃焼機関用の公知の空気フィルタ装置は、車両に搭載された様々な加圧空気消費部用の空気圧縮機に連結された追加空気出口を有することが多い。この追加空気出口から圧縮機までのホースは、現行においては、通常、機関空気出口から機関まで空気を導くブロー成形された空気ダクト・システム内の１つ又は複数のダクト上のパイプ・スタブに取り付けられる。
【０００３】
したがって、ブロー成形された空気ダクト・システムの構成は、複雑なものとなり、空気ダクトを経由する空気流は、システム全体にわたって圧力低下が増大するような悪影響を被り、機関の燃料消費量のさらなる増加につながる。圧縮機が、中に空気を引き込むと、圧縮機は、機関内に進入する途中の空気の一部を取り込み、これによって、機関への流量の測定がさらに阻害される。
【発明の概要】
【発明が解決しようとする課題】
【０００４】
本発明の目的は、機関への空気流に対する悪影響を最小限に抑える追加空気出口を有するフィルタ・ハウジングを提案することである。
【課題を解決するための手段】
【０００５】
これは、以下に示す特許請求の範囲に示した特徴によって実現される。
【０００６】
したがって、本発明の一態様によれば、フィルタ・ハウジングは、追加空気出口を有し、さらには、フィルタ・ユニットと機関空気出口との間に位置し、機関空気出口の外周部に沿って延在する、追加空気出口への空気開口部を有する。これにより、追加空気出口へのろ過済み空気は、機関の空気ダクトへの連結前にフィルタ・ハウジング内においてそれまでに抽気され得ることとなり、結果として、ろ過済みの主要な流れは、これらのダクトを介して阻害されることなく進むことが可能となる。なぜならば、この場合には、追加空気出口が、フィルタ・ハウジング上に位置し得るからである。この結果として、質量流量計に対する阻害は、より低いか又は皆無となり、したがって、これにより、空気ダクト上への配置がより容易になる。空気ダクトごとに１本ではなく、１本のみの圧縮機ホースが必要となる。
【０００７】
本発明の一実施例においては、空気開口部は、フィルタ・ハウジングのカバーとフィルタ・ユニットの上方側部との間に輪郭設定される。したがって、カバーとフィルタ・ユニットとの間に存在する界面は、空気開口部を形成するように容易に且つ効果的に開かれ得る。
【０００８】
この場合に、空気開口部は、斜め方向に上方に及び外方に延在する間隙を備える。この場合には、ろ過済み空気の一部が、乱流を伴わずに効果的に、追加空気出口へと均一に分配され得る。
【０００９】
この実施例においては、追加空気出口は、フィルタ・ハウジングのカバー上にさらに位置してもよく、これにより、機関に空気ダクトを連結する前に、圧縮機に対してより直接的に空気を運ぶために規格化された連結を使用することが可能となる。
【００１０】
また、空気開口部と追加空気出口との間でろ過済み空気を搬送するために、円周状空気ダクトが、フィルタ・ハウジングのカバーとフィルタ・ユニットの上方側部との間に輪郭設定されてもよい。
【００１１】
空気入口及び機関空気出口を有する本発明によるフィルタ・ハウジング用のフィルタ・ユニットは、フィルタ頂部及びフィルタ底部を有する実質的に半円筒状の空気フィルタを備える。空気フィルタ・ハウジングの追加空気出口への空気開口部をフィルタ頂部の上方側部は、フィルタ・ハウジングのカバーとともに輪郭設定するように構成され、この開口部は、機関空気出口の外周部に沿って延在する。
【００１２】
また、フィルタ頂部の上方側部は、空気開口部と追加空気出口との間でろ過済み空気をフィルタ・ハウジングのカバーとともに搬送するための円周状空気ダクトを輪郭設定するように構成される。
【００１３】
本発明の他の特徴及び利点が、特許請求の範囲及び以下に示す実施例の実例の説明により示され得る。
【図面の簡単な説明】
【００１４】
【図１】本発明による空気フィルタ装置の上方斜視図である。
【図２】カバーが開かれた状態にある、図１に対応した長手方向断面図である。
【図３】空気フィルタが部分的に引き出された状態にある、図２とほぼ同様の長手方向断面図である。
【図４】本発明による空気フィルタ装置の上方部分の部分破断詳細図である。
【図５】本発明による空気フィルタ装置の下方部分の部分破断詳細図である。
【図６】カバーが閉じられた状態にある、本発明による空気フィルタ装置の上方部分の部分破断側面図である。
【図７】カバーが開かれた状態にある、図６に対応する図である。
【図８Ａ】実質的に図６及び図７による装置のカバーを開くプロセスの概略図である。
【図８Ｂ】実質的に図６及び図７による装置のカバーを開くプロセスの概略図である。
【図８Ｃ】実質的に図６及び図７による装置のカバーを開くプロセスの概略図である。
【発明を実施するための形態】
【００１５】
これらの図面全体にわたって、同一の参照数字が、同一又は同様の機能を有するアイテムに対して使用される。
【００１６】
図面に示す空気フィルタ装置は、公知の方式において、実質的に半円筒状の空気フィルタ５２を備えるフィルタ・ユニット又はフィルタカートリッジ５０を収容するための細長空気フィルタ・ハウジング１０を備える。ろ過されることとなる空気は、ハウジング１０の外側の空気入口２０（図１）を通り、フィルタ・ユニット５０とフィルタ・ハウジング１０との間の環状空間内に進み、フィルタ５２の通過後には、フィルタ・ハウジング１０の上方側のカバー３０中の機関空気出口４０を通過して進む。この機関空気出口４０自体は、連続する空気ダクト４２、８０を経由して燃焼機関の図示しない吸気部に連結されるように意図される。
【００１７】
図４に最も明確に示すように、フィルタ・ユニット５０のフィルタ５２は、フィルタ頂部に連結され、フィルタ頂部は、フィルタ５２の内部及び空気出口４０と同軸である中央開口部６２を有する上方シール要素６０の形態である。フィルタ・ユニット５０が、ハウジング内に嵌入されると、シール要素６０の外方外周部は、ハウジングの頂部開口部１２を輪郭設定するエッジ１４に封止的に当接する。ハウジング１０及び／又はフィルタ頂部６０の中心合わせ手段（例えば、フィルタ頂部６０の下側から下方に向いた円周状突出部６７など）は、フィルタ頂部がハウジング１０の上方側において正確な位置に到達するのを助長及び確保し得る。
【００１８】
フィルタ・ユニット５０の上方シール要素６０と機関空気出口４０との間に、追加空気出口３６への空気開口部６４（図４）が存在する。図４において矢印により示されるように、この場合には、ろ過済み空気の一部が、追加空気出口３６を通過して出る前に、カバー３０と上方シール要素６０との間の空気開口部６４を経由して円周状空気ダクト６６にも案内され得る。空気ダクト６６は、円周状リッジ６９によってラジアル方向に外方に輪郭設定され得り、円周状リッジ６９は、上方シール要素６０の一部であり、カバー３０に対して封止的に当接する。図示する実例においては、追加空気出口３６（追加空気出口３６は、装置内のろ過済み空気を、図示しない空気消費部（例えば空気圧縮機など）へ分配し得る）は、フィルタ・ハウジング１０のカバー３０中に配置される。空気開口部６４は、機関空気出口４０の外周部に沿って延在し、斜め方向に外方及び上方に傾斜する間隙の形態で、外周部全体に沿って利点をもたらす。所望に応じて上方シール要素６０（図３）又はカバー３０の上に配置され得る、例えば複数の均等に分布するバルジ６８などのサポートによって、間隙の幅が維持されてもよい。
【００１９】
図５の簡略化された図において最も明確に示すように、フィルタ・ユニット５０のフィルタ５２は、下方シール要素７０の形態のフィルタ底部にも連結される。フィルタ・ユニット５０が、ハウジング１０に嵌入されると、下方シール要素７０の外方外周部は、ハウジングの底部開口部１６（図３）を輪郭設定する下方周囲エッジ１８に対して封止的に当接する。この底部開口部１６により、例えばフィルタ・ユニット５０の交換時などのフィルタ・ハウジング１０の洗浄時に、汚れ、洗浄剤、及び他の粒子が、フィルタ・ハウジング１０の外部から進入することが可能となる。ハウジング１０及び／又はフィルタ底部７０の中心合わせ手段（例えば、フィルタ底部７０の下側から下方に向く円周状突出部７２など）は、フィルタ底部７０がやはりハウジング１０の下方側において正確な位置に到達するのを助長及び確保し得る。
【００２０】
他の解決策も可能であるが、図１〜図３及び図６〜図７の前述のカバー３０は、ハウジング１０の上方外側部に配置されたヒンジ３８を介してフィルタ・ハウジング１０に枢動自在に連結されるものとして図示される。カバー３０の空気出口４０は、例えばフィルタ・クロス及び／又は細目メッシュ格子などのフィルタ要素３４（図２）によってさらに覆われることにより、カバー３０が開状態にある場合に、汚染物質及び固体粒子が空気ダクト４０、８０に進入するのを防止してもよい。カバー３０は、例えば図示しない締め付けねじ又は他の種類の固定具などの適切な連結手段によって、ハウジング１０に対して締結されてもよい。
【００２１】
図６及び図７に示す実施例においては、カバー３０の最も近くに配置された空気ダクト４０は、折り畳み式の又は可撓性のパイプ・セクション４２を備え、これにより、機関の最も近くに配置された固定空気ダクト８０からの取外し又はこの固定空気ダクト８０の移動を伴うことなく、カバー３０を繰り返し開閉することが可能になる。図示する実施例においては、パイプ・セクション４２は、屈曲可能ゴム弾性材料から作製された幅狭になってゆく曲線部分Ｃを備えており、それは、カバー３０が開かれつつある場合に、ほぼ図７に示すように、カバー３０に最も近いより大きな断面部分が、保守技術者による補助によって又は補助を伴わずに、空気ダクト８０に最も近い幅狭になってゆく断面部分を覆うように、ロール・ベローズのように、裏表反転されることを可能にする。機能的状態においては、パイプ・セクション４２は、機関空気出口４０及び空気ダクト８０を覆って伸張される。この場合には、曲線部分の正中線は、カバーのヒンジ３８からほぼ一定の距離Ｒにて延在し得る。
【００２２】
図８Ａ〜図８Ｃは、図６及び図７の装置と実質的に対応する装置を開くプロセスをより詳細に示す。空気ダクト４０及び８０は、作動時に可撓性パイプ・セクション４２を支持してその崩壊を防止するために、可撓性パイプ・セクション４２内に比較的深く延在する。図８に示すように、ダクト同士の間のパイプ・セクション４２の断面部分は、例えば材料ノッチ又は内部応力によってなど様々な方法により、カバー３０が開き始める際に、幾分か共に引っ張られるように又はラジアル方向に内方に変形されるように構成され得る。次いで、カバー３０に連結されたより大きなダクト４０は、より幅狭なダクト８０の周囲に配置され、このダクト８０から離間された状態となる。その後、図８Ｃにおいて、カバーが、開状態（それは、フィルタ・ハウジング１０から外へと図示しないフィルタ・ユニットを取り出すことを可能にする）に近づくと、ロールローブ部４４が、パイプ・セクション４２の部分に自然に形成され得り、それは、より幅狭のダクト８０の端部部分に支持され、パイプ・セクション４２が、ロール・ベローズのように、この端部部分において展開する（ｕｎｒｏｌｌ）ようになっている。
【００２３】
この及び他の実施例において、カバー３０は、ハウジング１０の残りの部分に枢動自在に連結される必要性は必ずしもない。なぜならば、カバー３０は、図示しない方法において、ハウジング１０から離れる方向に完全に引き上げられ得るものであってもよいからである。
【００２４】
上記に示す詳細な説明は、理解を容易にすることを主に意図され、本発明を不必要に限定するものとして解釈されるべきではない。本説明を精査することにより当業者には自明となる変更が、本発明の概念及び以下に示す特許請求の範囲から逸脱することなく、行われてもよい。
【図１】
2015509842.tif 000003
【図２】
2015509842.tif 000004
【図３】
2015509842.tif 000005
【図４】
2015509842.tif 000006
【図５】
2015509842.tif 000007
【図６】
2015509842.tif 000008
【図７】
2015509842.tif 000009
【図８Ａ】
2015509842.tif 000010
【図８Ｂ】
2015509842.tif 000011
【図８Ｃ】
2015509842.tif 000012
【国際調査報告】
2015509842.tif 000013
2015509842.tif 000014
2015509842.tif 000015
2015509842.tif 000016